(57)【要約】      （修正有）【課題】プリンタ、コピー機、多機能装置などの文書処理システムと、第１の基材から第２の基材へのトナーの転写に関連する再転写を軽減するための運転方法を提供する。【解決手段】画像マーキング装置に関連するニップ幅および転写電界の均一性を制御する閉ループ制御方法およびシステムを開示する。例示的実施形態によれば、閉ループ制御システムが、画像転写電界の均一性を検知して、検知された電界に基づいて転写ニップに力を加えて、より均一な電界を提供する。【選択図】図７
2013222199.tif 000002
【特許請求の範囲】
【請求項１】
感光体表面と、前記感光体表面に動作可能なように関連する露光ステーションと、前記感光体表面に動作可能なように関連する現像システムと、基材と、前記感光体表面から前記基材に画像を転写することに動作可能なように関連する画像転写ニップと、を含む画像転写印刷装置を用いて基材上に画像をマーキングする方法であって、
ａ）前記基材上にマーキングする予定の前記画像を表現する前記感光体表面上の静電像を、前記露光システムを用いて形成することと、
ｂ）現像像を生成するために前記現像システムを用いてトナー材料で前記感光体表面上の前記静電像を現像することと、
ｃ）前記画像転写ニップに電気的にバイアスをかけて前記画像転写ニップを横切る画像転写電界を生成することにより、および前記画像転写ニップに１つ以上の力を加えて前記画像転写ニップに関連する空間的均一性を制御することにより、前記現像像を前記感光体表面から前記基材に転写することと、を含み、前記１つ以上の力は閉ループ制御システムを実行して前記画像転写ニップを横切る実質的に均一な画像転写電界を生成するように前記１つ以上の力を決定することにより決定され、前記閉ループ制御システムは前記画像転写電界の前記均一性を検知して、前記画像転写電界の前記検知された均一性に基づいて前記１つ以上の力を決定するように構成されている、基材上に画像をマーキングする方法。
【請求項２】
前記感光体表面が感光体ドラムである、請求項１に記載の基材上に画像をマーキングする方法。
【請求項３】
前記基材が媒体基材および中間画像転写表面のうちの一方である、請求項２に記載の基材上に画像をマーキングする方法。
【請求項４】
前記画像転写ニップが１つ以上の画像転写ロールおよび画像転写ベルトを含む、請求項３に記載の基材上に画像をマーキングする方法。
【請求項５】
前記画像転写ニップが、凸構造の画像転写ロールを含む、請求項４に記載の基材上に画像をマーキングする方法。
【請求項６】
前記閉ループ制御システムが、転写電界均一性マップを生成するように構成されており、前記転写電界均一性マップに基づいて前記１つ以上の力を決定する、請求項１に記載の基材上に画像をマーキングする方法。
【請求項７】
中間画像転写ベルトと、
前記中間画像転写ベルトへの画像の転写に動作可能なように関連するとともに、異なるトナー材料着色剤に関連する画像マーキング手段と、
前記中間画像転写ベルトに画像を転写することに動作可能なように関連する画像転写ニップであって、前記画像転写ニップに電気的にバイアスをかけて前記画像転写ニップを横切る画像転写電界を生成することにより、および前記画像転写ニップに１つ以上の力を加えて前記画像転写ニップに関連する空間的均一性を制御することにより、前記画像を前記中間画像転写ベルトに転写するように構成され、前記１つ以上の力は閉ループ制御システムを実行して前記画像転写ニップを横切る実質的に均一な画像転写電界を生成するように前記１つ以上の力を決定することにより決定され、前記閉ループ制御システムは前記画像転写電界の前記均一性を検知して、前記画像転写電界の前記検知された均一性に基づいて前記１つ以上の力を決定するように構成された、画像転写ニップと
前記中間画像転写ベルトから媒体基材への前記画像の前記転写に動作可能なように関連する画像転写ステーションと、を含む、
画像マーキング装置。
【請求項８】
前記画像マーキング手段が、
感光体ドラムと、
前記感光体ドラムに動作可能なように関連するとともに、前記感光体ドラム上に静電像を形成するように構成された露光ステーションと、
前記感光体ドラムに動作可能なように関連するとともに、トナー材料で前記静電像を現像するように構成された現像システムと、を含む、請求項７に記載の画像マーキング装置。
【請求項９】
前記閉ループ制御システムが、転写電界均一性マップを生成するように構成されており、前記転写電界均一性マップに基づいて前記１つ以上の力を決定する、請求項７に記載の画像マーキング装置。
【請求項１０】
前記画像転写ニップが、形状順応性が高いロールを含む、請求項７に記載の画像マーキング装置。
【発明の詳細な説明】
【技術分野】
【０００１】
本例示的実施形態は、プリンタ、コピー機、多機能装置などの文書処理システムと、第１の基材から第２の基材へのトナーの転写に関連する再転写を軽減するための運転方法と、に関する。
【背景技術】
【０００２】
再転写に関連する不良モードの例は、画像ノイズ、画像斑、欠失、色ずれ、カラーマクロ均一性の不良、色の安定性の不足、およびクロスカラー現像液汚染を含むが、これらに限らない。多色トナーに基づく静電写真印刷システムは、２つ以上の静電写真マーキング手段を通常使用して、所与の色のトナーを、ドラムまたはベルトなどの中間画像転写媒体に個々に転写して、トナーは、その後、中間媒体からシートまたは他の最終的な印刷媒体に転写されて、その後、２度転写されたトナーは最終印刷物に定着される。再転写は、先行する上流のマーキング手段からの中間画像転写ベルト上のトナーが、転写ニップの中の高電界のせいで全体的にまたは部分的にはがされる（除去される）ときに生じる。先行する下流のマーキング手段内の転写ニップ内の高電界は、空気の絶縁破壊機構を通じて、中間画像転写ベルト（ＩＴＢ）などの中間画像転写媒体上のトナーの荷電状態を逆極性に変更できるため、再転写をさらに悪化させる。これが起こると、１つ以上のトナーカラーの望ましい量が最終的な印刷済みシートには転写されず、色数が増加すると再転写問題は悪化する。所与のマーキング手段での再転写は、その手段における転写電界強度を下げることにより低減してもよい。これは、その手段での画像形成時の不完全な転写につながる可能性がある。言い換えれば、転写ニップは、プロセスを横断する方向の１つの領域で中間ＩＴＢにトナーを転写している間に（高電界を必要とする画像形成）、同時に他の領域内の中間ＩＴＢからトナーを除去する可能性がある（再転写）。さらに、多色文書処理システムの品質要求事項は絶えず増大しており、顧客は再転写の悪影響および不完全な転写がない状態で画像化能力の向上を要求する。したがって、それを通じて再転写および上述の問題を軽減できる改善された多色文書処理システムおよび改善された転写機構設計に対する必要性が依然として残っている。
【発明の概要】
【課題を解決するための手段】
【０００３】
本明細書の一実施形態では、感光体表面と、感光体表面に動作可能なように関連する露光ステーションと、感光体表面に動作可能なように関連する現像システムと、基材と、感光体表面から基材に画像を転写することに動作可能なように関連する画像転写ニップと、を含む画像転写印刷装置を用いて基材上に画像をマーキングする方法であって、ａ）基材上にマーキングする予定の画像を表現する感光体表面上の静電像を、露光システムを用いて形成することと、ｂ）現像像を生成するために現像システムを用いてトナー材料で感光体表面上の静電像を現像することと、ｃ）画像転写ニップに電気的にバイアスをかけて画像転写ニップを横切る画像転写電界を生成するとともに、画像転写ニップに１つ以上の力を加えて画像転写ニップに関連する空間的均一性を制御することにより、現像像を感光体表面から基材に転写することと、を含み、１つ以上の力は閉ループ制御システムを実行して画像転写ニップを横切る実質的に均一な画像転写電界を生成するように１つ以上の力を決定することにより決定され、閉ループ制御システムは画像転写電界の均一性を検知して、画像転写電界の検知された均一性に基づいて１つ以上の力を決定するように構成されている、基材上に画像をマーキングする方法について説明している。
【０００４】
本明細書の他の実施形態では、基材を含み、基材への画像の転写に動作可能なように関連するとともに、異なるトナー材料着色剤に関連する画像マーキング手段を含み、基材に画像を転写することに動作可能なように関連する画像転写ニップを含み、画像転写ニップは、画像転写ニップに電気的にバイアスをかけて画像転写ニップを横切る画像転写電界を生成することにより、および画像転写ニップに１つ以上の力を加えて画像転写ニップに関連する空間的均一性を制御することにより、画像を基材に転写するように構成され、１つ以上の力は閉ループ制御システムを実行して画像転写ニップを横切る実質的に均一な画像転写電界を生成するように１つ以上の力を決定することにより決定され、閉ループ制御システムは画像転写電界の均一性を検知して、画像転写電界の検知された均一性に基づいて１つ以上の力を決定するように構成されている、画像マーキング装置について説明している。
【０００５】
本明細書のさらに他の実施形態では、中間画像転写ベルトを含み、中間画像転写ベルトへの画像の転写に動作可能なように関連するとともに、異なるトナー材料着色剤に関連する画像マーキング手段を含み、中間画像転写ベルトに画像を転写することに動作可能なように関連する画像転写ニップを含み、画像転写ニップは、画像転写ニップに電気的にバイアスをかけて画像転写ニップを横切る画像転写電界を生成することにより、および画像転写ニップに１つ以上の力を加えて画像転写ニップに関連する空間的均一性を制御することにより、画像を中間画像転写ベルトに転写するように構成され、１つ以上の力は閉ループ制御システムを実行して画像転写ニップを横切る実質的に均一な画像転写電界を生成するように１つ以上の力を決定することにより決定され、閉ループ制御システムは画像転写電界の均一性を検知して、画像転写電界の検知された均一性に基づいて１つ以上の力を決定するように構成され、中間画像転写ベルトから媒体基材への画像の転写に動作可能なように関連する画像転写ステーションを含む、画像マーキング装置について説明している。
【０００６】
本明細書のさらに他の実施形態では、中間転写ベルトを含み、中間画像転写ベルトへの画像の転写に動作可能なように関連するとともに、異なるトナー材料着色剤に関連する画像マーキング手段を含み、中間画像転写ベルトから媒体基材への画像の転写に動作可能なように関連する画像転写ステーションを含み、画像転写ステーションは、画像転写ニップに電気的にバイアスをかけて画像転写ニップを横切る画像転写電界を生成することにより、および画像転写ニップに１つ以上の力を加えて画像転写ニップに関連する空間的均一性を制御することにより、画像を中間画像転写ベルトから転写するように構成された画像転写ニップを含み、１つ以上の力は閉ループ制御システムを実行して画像転写ニップを横切る実質的に均一な画像転写電界を生成するように１つ以上の力を決定することにより決定され、閉ループ制御システムは画像転写電界の均一性を検知して、画像転写電界の検知された均一性に基づいて１つ以上の力を決定するように構成されている、画像マーキング装置について説明している。
【図面の簡単な説明】
【０００７】
【図１】図１は、ニップ構造、ＩＴＲエラストマ凸構造（ＩＴＲエラストマクラウン）、およびマクロ均一性スマイルとして知られる再転写欠陥の間の関係を示す図である。
【図２】図２は、本明細書の例示的実施形態の４色タンデム式ＩＴＢ（中間転写ベルト）マーキングエンジンの模式図である。
【図３】図３は、本明細書の例示的実施形態の画像転写電界のプロットである。
【図４】図４は、本明細書の例示的実施形態の転写電界均一性マップの例である。
【図５】図５は、本明細書の例示的実施形態の４色タンデム式ＩＴＢ（中間転写ベルト）マーキングエンジンの模式図である。
【図６】図６は、本明細書の例示的実施形態の転写電界均一性マップを生成するためのプロセスのフローチャートである。
【図７】図７は、本明細書の例示的実施形態の閉ループ制御システムのフローチャートである。
【図８】図８は、ＩＴＲ（画像転写ロール）および関連する負荷機構の例示的実施形態を示す図である。
【図９】図９は、本明細書の例示的実施形態の４色の「ダイレクト・トゥー・ペーパ」画像マーキング装置の例示的実施形態を示す図である。
【発明を実施するための形態】
【０００８】
背景技術の部分で簡潔に述べたように、タンデム式中間ベルトマーキング構造は、一度に１つの分類の転写ニップを用いて中間転写ベルト（ＩＴＢ）上に画像を形成する。プロセスを横断する方向の不均一な転写ニップ幅が不均一な転写電界につながり、この不均一な転写電界はプロセス間の色ずれまたは光学的濃度ずれ（マクロ均一性不良）、および斑点のプロセス間のばらつきといった好ましくない印刷品質欠陥の原因となる。これらの欠陥は、その一部は再転写除去に起因するが、構造が５つ以上の分類（色）を含む場合に、特に深刻である可能性がある。例えば、６色（イエロー、マゼンタ、シアン、ブラック、および他の２色）印刷構造が存在しており、この６色印刷構造は写真用途に対して改良された色域およびすぐれた画像の滑らかさなどの利点を提供する。例えば、ＤｉＲｕｂｉｏ  ｅｔ．ａｌによる米国特許出願第１２／８６８，９３６号に開示するように、金属シャフトを取り囲む形状順応性が高いエラストマで構成されるバイアス画像転写ロール（ＢＴＲ）に高電圧を印加することにより転写電界を生成する。エラストマのジュロメータ（またはヤング率）、エラストマの凸構造、およびＢＴＲシャフトに加えられる力が、接触ニップの中の機械的圧力の均一性を決定する。ニップ幅のばらつきの主要な要因はエラストマの凸構造の製作公差が大きいことである。
【０００９】
本明細書では、各転写ニップがプロセスを横断する方向に均一なニップ幅を有していることを保証するための閉ループ制御戦略を開示している。不均一なニップ幅は不均一な転写電界につながる。例示的な一実施形態によれば、ＤｉＲｕｂｉｏ  ｅｔ．ａｌによる米国特許出願第１２／９４５，９４２号に開示するような転写電界均一性マップ（ＴＦＵＭ）を用いて転写電界の均一性を検知する。ＴＦＵＭは通常よりもはるかに低いレベルの高電圧転写バイアスを印加することにより生成され、この場合、転写効率、したがって、印刷の光学的濃度および単位面積あたりに転写された質量（ＴＭＡ）が、転写電界の空間的均一性の変動に対してはるかに敏感である。その後、数個の点のＴＭＡセンサの配列により、または例えばより高分解能の全幅アレイ走査バー（ＦＷＡ）により、面密度被覆率（ＡＤＣ）センサまたは拡張領域被覆率（ＥＴＡＣ）センサのプロセス間の変動を検知できる。その後、ＴＦＵＭ、したがって、ニップ幅がプロセスを横断する方向で空間的に均一になるまで、画像転写ローラのシャフトの各端部に加えられるニップ力を作動させることができる。この閉ループ制御戦略を使用して転写ニップのすべてが均一なニップ幅を有することを保証して、それにより、プロセス／印刷物全体にわたって均一な印刷品質を保証する。
【００１０】
上述のように、再転写スマイルとして知られるプロセス間のカラーマクロ均一性欠陥と、画像斑の深刻さのプロセス間のばらつきの両方を軽減するのに役立つように、タンデム式中間ベルト転写印刷エンジン内の第１の転写ＩＴＲを凸構造にすることができる。しかしながら、場合によっては、凸構造（クラウン）の設計不良のせいで、ＩＴＲエラストマが最適ではない台形凸構造プロファイルを有している。その結果、修理依頼の電話および全体的な実行費用の増加につながる可能性がある再転写スマイル欠陥が電界内に観察される。
【００１１】
図１は、再転写スマイルと画像斑との一因となる転写電界均一性に寄与する可能性があるさまざまな要素について詳述している。
【００１２】
ここで、バイアス転写ローラ（ＢＴＲ）またはバイアス転写ベルト（ＢＴＢ）などの形状順応性が高いバイアスされた転写手段を用いてマーキングエンジン内の画像転写ニップのすべてにおいてプロセス全体にわたって均一な転写電界を保証するための閉ループ制御システムについて説明する。この方法は任意の静電写真マーキングエンジンで役立つ可能性があるが、７個（例えば、６色印刷エンジンなど）以上の転写ニップを含む可能性があるタンデム式ＩＢＴエンジンで特に有利である可能性がある。
【００１３】
制御ループが、プロセスを横断する方向の転写電界均一性を直接検知して、受像部材（例えば、中間転写ベルトなど）を画像保持部材（例えば、感光体など）と接触させる画像転写手段に機械力を作動させる。閉ループ制御システムは、制御ループのために選択した目標値以下に転写電界均一性を保持することにより、プロセス全体にわたって比較的高い印刷品質を保証する。
【００１４】
本明細書の実施形態は任意のマーキング構造に適用できるが、本明細書の実施形態を説明できる一実施例は、タンデム式中間ベルト転写（ＩＢＴ）構造である。この構造の実施例を図２に示している。
【００１５】
マーキング材料転写ユニット１０４、２０４が、２つのローラの間に形成された転写「ニップ」と本明細書で呼ばれることがあるが、当業者には明らかなように、本明細書のマーキング材料転写ユニット１０４、２０４は、機械手段、電気手段、および電気機械手段を含む、１つの表面から他の表面にマーキング材料を転写する任意の手段を含むことができる。
【００１６】
用語プリンタまたは印刷手段は、本明細書で使用する場合、目的に応じて印刷出力機能を実行するデジタルコピー機、製本機械、ファクシミリ装置、多機能機などの任意の装置を含んでいる。プリンタ、印刷エンジンなどの詳細は当業者には周知であり、例えば、米国特許公報第２０１０／００６７９６０号に説明されており、この特許の完全な開示は、言及することにより全体としてすっかり本明細書の一部となっている。本明細書の実施形態は、カラー、白黒で印刷したり、またはカラーもしくは白黒画像データを処理したりする実施形態を含むことができる。すべての実施形態は、静電グラフィック機械および／またはプロセスに特に適用できる。
【００１７】
全プロセスカラー画像出力端末（ＩＯＴ）アセンブリが、中間転写ベルトまたは受像搬送部材２０２と、中間受像搬送部材２０２上に全プロセスカラー画像を形成して転写するための一連の構成要素と、を含んでいる。印刷エンジン１１２が、ドラム式ＹＭＣ画像出力端末２１２、２１４、２１６と、Ｋ（ブラック）画像出力端末２１８と、を含んでいる。画像出力端末２１２、２１４、２１６、２１８は、中間転写ベルト２０２上に全プロセスカラー画像を形成する。各画像出力端末１１２は、画像保持部材２２０と、帯電手段２２２、露光手段２２４と、現像手段２２６と、中間転写ベルトまたは受像搬送部材２０２上に転写するために画像保持部材２２０上に別のトナー画像を形成するための洗浄手段２２８と、を含んでいる。
【００１８】
図２に示すように、４個のマーキングユニット１１２を用いて中間転写ベルト（ＩＴＢ）２０２上に画像を形成する。マーキングユニット１１２のそれぞれは、「第１の転写」ニップ１０４を用いて転写ベルト２０２にマーキング材料（インク、トナーなど）の異なる分類（例えば、色合いまたは色調（例えば、イエロー、マゼンタ、シアン、ブラック（Ｙ、Ｍ、Ｃ、Ｋ））を塗布する。したがって、マーキング材料の１つの分類（例えば、色合いまたは色調など）を一度にベルト２０２に塗布する。その後、ベルト２０２から、第２の転写ニップ２０４により用紙搬送路に沿って移動している一枚の媒体１０６（例えば、紙、ＯＨＰフィルムなど）に、４色の画像を転写する。中間転写ベルト洗浄器を、項目１３０として示している。
【００１９】
転写電界は、感光体に向かい合う形で中間転写ベルトの内側に配置されたバイアス転写ロール（ＢＴＲ）１１０のシャフトに高電圧バイアスを印加することにより通常生成される。高電圧バイアスは、転写ニップの設計の細目に応じて、定電流モードまたは定電圧モードで作動させてもよい。したがって、転写電界は、高電圧電源が供給する電圧または電流を制御することにより間接的に制御される。感光体上の現像像から中間転写ベルトに転写されたトナーの割合を、図３の「ＩＴＢへの転写割合曲線」によりグラフで示している。図３に示すように、通常の作動電界、例えば、６０Ｖ／μｍ（空間的変動領域（１））では、転写効率（水平の破線で示す）は、転写電界の空間的変動（垂直の点線で示す変動）に対してあまり敏感ではなく、あまり変化しない。
【００２０】
マーキングステーションからの全ページ単一分類ハーフトーン印刷は、例えば、６０Ｖ／μｍにおいて空間的に非常に均一である。しかしながら、平坦な不感領域よりも高いまたは低い電圧または電流に（図３の空間的変動領域（１）から空間的変動領域（２）に）電源を調整することにより転写電界を変化させると、転写効率、したがって中間転写ベルトに転写されるトナー密度は、転写電界の空間的変動に対して大きく変化する。同様に、空間的に一様な領域よりも高いレベルに（例えば、図３の領域３に）転写電界を増加させると、ベルトに転写されるトナー密度は、転写電界の空間的変動に対して大きく変化することになる。
【００２１】
したがって、図３に示すように、最適な転写電界では、潜在的な空間的不均一性の検出は容易ではなく、その理由は、最適な転写電界が転写画像密度を一定に保つ（図３に示すＩＴＢへの転写割合曲線の平坦な領域）ためである。したがって、最適な電界（例えば、６０Ｖ／（μｍ）では、図３のＩＴＢへの転写割合曲線の空間的変動領域（１）で示すように、転写ニップ内の転写電界の空間的変動に起因する、転写されるトナーの割合の変化は、非常にわずかである。
【００２２】
しかしながら、図３のＩＴＢへの転写割合曲線上の平坦ではない（傾斜した）点に転写電界を変化させると、潜在的な空間的不均一性の検出は、はるかに容易になる。したがって、異なる電界（例えば、３０Ｖ／μｍ）では、図３の領域（２）で示すように、転写ニップ内の転写電界の空間的変動に起因する、転写されるトナーの割合の変化は大きく（例えば、１０％、２５％、５０％など）、不均一な電界が不均一な印刷の原因となる。したがって、異なる電界は、所与の転写ニップが作り出す可能性がある任意の潜在的な不均一性を拡大して、それにより、転写ニップが転写するマーキング材料の量のこのような差を、ユーザおよび／またはセンサが、より簡単に検出できるようにする。同様に、電界内の空間的不均一性を検知して拡大するために、転写電界を〜８０Ｖ／μｍよりも高い傾斜領域まで増加させることができる。
【００２３】
転写手段がＩＴＢへの転写割合曲線の傾斜領域（図３の空間的変動領域（２または３））で作動するまで、加える転写電界を変化させることにより、転写ニップのうちのいずれに対する転写電界均一性マップ（図４に示すような）でも生成できる。図４に示す例示的な転写電界均一性マップ３００は、マゼンタの転写ニップを用いて形成した。横送り（プロセス方向の上端から下端）の全ページハーフトーン印刷（領域被覆率約６０％）を、低い転写電界で生成して、図５の位置Ｔ２で検知した。
【００２４】
プロセスを横断する方向での印刷密度の変動は、転写ニップの中央部の電界が、内側縁端部および外側縁端部と比べて低いことに起因している。バイアス転写ロール１１０のニップ幅の変動が、プロセスを横断する方向の転写電界の変動を引き起こす。例えば、幅の広いニップでは、より高い転写電界が、内側縁端部および外側縁端部の近くに、より暗い画像３０２を作り出す。しかしながら、幅の狭いニップは、中央部で、より低い転写電界およびより明るい画像３０４をもたらす。この電界の変動により、下流の第１の転写ニップに対する空間的に不均一な再転写除去に起因して、通常の印刷動作中にプロセスを横断する方向の色ずれが生じる可能性がある。このことは、多色画像を印刷する場合に特に顕著である。例えば、赤色画像の場合を考察する。最初の２つの転写ニップでは、黄色トナー、その後マゼンタトナーを中間転写ベルト（ＩＴＢ）に転写する。この転写は、空間的に均一であろう（図３の最適な領域）。下流の２つのニップ（シアンおよびブラック）では、赤色画像要素に対して、さらなるトナーの転写は行われないが、赤色画像の上端部からのマゼンタトナーを、ＩＴＢから除去でき、感光体に再転写できる。除去されたマゼンタトナーは、赤色画像要素の色ずれを引き起こす。シアンニップおよびブラックニップ内の転写電界が空間的に不均一である場合、低電界領域よりも、高電界領域（内側縁端部および外側縁端部を示す）から、より多くのマゼンタトナーが除去され、したがって、ページ内のどこに位置しているかに応じて赤色画像要素の色合いにばらつきが生じることになる。この欠陥は、「再転写スマイル」と呼ばれる場合がある。より高い電界（例えば、内側縁端部および外側縁端部において）が、トナーパイル内で、より多くの空気の絶縁破壊を引き起こし、この絶縁破壊は、トナーパイルの上端部の近くに、間違った符号の正に帯電したトナーを生じさせる。この間違った符号のトナーは、感光体の方へ引っ張られて、その結果、再転写除去の促進を招く。
【００２５】
バイアス転写ローラ３０６の円周と等しい距離で繰り返すプロセス方向の電界変動が、バイアス転写ロール１１０の電気的特性または機械的特性における不均一性を示している。サンプルの転写電界均一性マップ３００内のいくつかの低電界欠陥が、この空間周波数で繰り返している。
【００２６】
また、本明細書の実施形態は、基材に転写されたマーキング材料（画像）の密度の空間的均一性を測定して評価する。ここで、基材は、中間転写ベルト２０２（第１の転写を評価するための）および／または一枚の媒体１０６（第１の転写および／または第２の転写を評価するための）である可能性がある。基材に転写されたマーキング材料の量を、本明細書では、転写画像密度（ＴＭＡ）（単位面積あたりに転写された質量）と呼ぶことがある。
【００２７】
転写電界均一性マップ（ＴＦＵＭ）を検知するためのいくつかのセンサオプションがある。図４に示す反復的な点欠陥３０６などの空間的に小さい転写電界変動を見つけるために使用する可能性があるデータを、全幅アレイ（ＦＷＡ）画像処理バーが提供するであろう。再転写スマイル３０６（図４を参照すること）から予測されるような、プロセスを横断するより大規模な電界変動の検出に、プロセスを横断する方向のさまざまな点に配置された低コストの点センサのアレイを用いることができる。再転写スマイル欠陥（プロセスを横断する方向の色変動）は、プロセスを横断する転写電界の変動に起因している。点画像／トナー密度センサは、図５の位置Ｔ１でＴＭＡ（単位面積あたりに転写された質量）を監視するために、カラーエンジンにおいてすでに日常的に用いられている。これらのセンサは、例えば、Ｘｅｒｏｘ（Ｎｏｒｗａｌｋ、ＣＴ，ＵＳＡ）社などから市販されているＥＴＡＣＳ（機能強化されたトナー領域被覆率センサ）を含んでいる。
【００２８】
本明細書の実施形態は、さまざまなセンサを用いて画像保持部材（感光体、転写ベルト、媒体シートなど）に残っているトナーの密度を評価する。図５は、いくつかの例示的な転写センサＴ１およびＴ２を示している。本明細書の実施形態は、画像保持部材に転写されたマーキング材料の量を転写センサＴ１およびＴ２を用いて測定できたり、または転写ニップがマーキング材料を転写した後に感光体（Ｒ１、Ｒ２、Ｒ３、Ｒ４）もしくは中間転写ベルト（Ｒ５）上に残るマーキング材料の量を図５の残留質量センサＲ１、Ｒ２、Ｒ３、Ｒ４、Ｒ５を用いて測定できたりする。画像保持部材（感光体またはＩＴＢ）上に残るマーキング材料の量のこの第２の測定は、残留画像密度またはＲＭＡ（単位面積あたりの残留質量）と呼ばれることがある。
【００２９】
さらに、図５は、さまざまな転写センサおよび残留センサ（Ｔ１、Ｔ２、Ｒ１〜Ｒ４など）に動作可能なように接続されたコントローラ／プロセッサ１４０を示している。コントローラ１４０とさまざまなセンサとの間の接続については、煩雑になるのを避けるために図示していない。当業者には明らかなように、コントローラ／プロセッサ１４０は、集積回路論理デバイス（例えば、少なくとも１つのプロセッサチップ）、電源、持続的コンピュータ読取り可能データ記憶媒体、電気的接続、物理的接続などを含んでいる。
【００３０】
現在の実施形態が、転写センサＴ１およびＴ２を用いて、低減された転写電界（図３の領域２）における転写画像密度を評価している場合には、高電界領域が、より高いトナー密度を有し、最終的な画像においてより暗く見え、低電界領域が、より明るく見えるであろう。逆に、この実施形態が残留センサＲ１〜Ｒ５を用いて残留画像密度を評価する場合には、高電界領域はより低いトナー密度（よりよい転写効率）を有しており、低電界領域はより高いトナー密度を有しているであろう。実施形態が非常に高い電界領域（図３の範囲３）において行われる場合には逆のことが当てはまり、すなわち、Ｔ１およびＴ２は、高電界領域においてより低い密度を示し、Ｒ１〜Ｒ５は、低電界領域においてより高い密度を示すであろう。
【００３１】
４色タンデム式マーキングエンジン内の画像密度センサのための可能な配置を図５に示しているが、当業者には明らかなように、さまざまな配置での任意の個数のマーキングエンジンおよびセンサを本明細書の実施形態といっしょに使用できる。上述のように、画像保持部材上の残留画像密度は、残留センサＲ１、Ｒ２、Ｒ３、Ｒ４、および／またはＲ５のうちのいずれで測定する可能性もある。最初の４個の位置が、「第１の転写」ニップ（が感光体から中間転写ベルトに転写した）後の、感光体上の残留質量を測定する。残留センサＲ５は、「第２の転写」ニップ（が中間転写ベルトから紙／基材に転写した）後の、中間転写ベルト上の残留画像密度を測定する。
【００３２】
逆に、転写センサＴ１は、第１の転写ニップ１０４の後の、中間転写ベルト上の転写画像密度を測定する。また、異なる実施形態では、第１の転写ニップ１０４の間に、さらなる転写画像密度センサを使用する。定着前または定着後の基材（媒体シート）上の画像の画像密度を直接測定するために、転写画像密度センサＴ２を使用できる。図４は、定着後のセンサ配置Ｔ２で測定したマゼンタニップ画像に対する転写電界均一性マップ画像を表している。
【００３３】
多くのセンサについて記載したが、いくつかの実施形態では、５個すべての転写ニップ（１０４、２０４）の転写電界均一性マップを測定して評価するために、単一の転写画像密度センサ（またはセンサアレイ）を使用できる（例えば、転写センサＴ２など）。同様に、第１の転写ニップ１０４のすべてを評価するために、単一の転写センサＴ１（またはセンサアレイ）を使用できる。
【００３４】
第１のニップにおいて転写電界均一性マップを生成するために、マーキングエンジン１１２のうちの１つを作動させて、対応する感光体上に画像（例えば、イエロー画像）を作り出すことができ、対応する転写ニップは、例えば比較的低い転写電界（図３の傾斜領域（２））で作動される。中間転写ベルトから感光体へのトナーの再転写除去を最小限に抑えるために、他の第１の転写手段１０４を最小の電界（すなわち、部分的に機能しない電界）で作動させる（その理由は、さもなければ、不均一な再転写除去により、転写電界均一性マップ内に偽の不均一性が誘発される可能性があるためである）。第２の転写ニップ２０４を通常の（比較的高い）転写電界で作動させて、転写センサＴ２が基材上の転写電界均一性マップを評価するであろう。したがって、より低い転写電界（図３の傾斜領域（２））でニップｎの転写手段を作動させながらニップｎでの画像（例えば、全ページハーフトーン（または他の）の画像など）を作り出すことにより、第１の転写ニップのうちのいずれに対する転写電界均一性マップでも生成できる。同様に、最適な電界よりも高い電界でニップｎを作動させることにより、転写電界均一性マップを生成する可能性がある。
【００３５】
さらに、標準的な、より高い電圧で第１のニップ１０４を作動させながら、より低い転写電界（図３の傾斜領域（２））で転写手段２０４を作動させることにより、第２の転写ニップ２０４用の転写電界均一性マップを生成できる。転写センサＴ２（転写画像密度）または残留センサＲ５（残留画像密度）を用いて、転写手段２０４を測定／評価する。同様に、最適な電界よりも高い電界で転写手段２０４を作動させることにより、転写電界均一性マップを生成する可能性がある。
【００３６】
例示的な方法の実施形態を図６に示している。項目５００に示すように、本明細書の実施形態は、印刷手段を標準運転モード５００で運転できる。印刷手段を標準運転モードで運転しているとき、方法は、項目５０２で、印刷手段の第１のマーキング材料転写手段（例えば、転写ニップ）に標準転写電界を供給する。
【００３７】
また、本明細書の方法は、項目５０４で、印刷手段を試験モードで運転できる。印刷手段を試験モードで運転しているとき、方法は、最適ではない変化する（減少した、または増加した）転写電界を第１のマーキング材料転写手段に供給する（５０６）。最適ではない転写電界は、標準転写電界よりも小さいか、または大きいかのどちらかである（例えば、１０％、２５％、５０％だけ、より低い／より高い転写電界である）。つまり、最適ではない転写電界は、マーキング材料転写手段内の電界の一貫性のなさ（例えば、空間的な一貫性のなさ）を拡大するほど十分異なる（減少したまたは増加した）電界を含んでいる。
【００３８】
さらに、印刷手段を試験モードで運転しているとき、方法は、項目５０８で、第１のマーキング材料転写手段の働きを分離させるために、印刷手段の他のマーキング材料転写手段の作動を停止できたり、または部分的に停止できたりする。その後、方法は、項目５１０で、第１のマーキング材料転写手段を作動させて、第１のマーキング材料転写手段がマーキング材料を受取り面に転写するようにする。受取り面は、それに対して第１のマーキング材料転写手段がマーキング材料を転写する、転写ベルト、一枚の印刷媒体などのものを含んでいる。
【００３９】
その後、このプロセスは、項目５１２で、例えば光学式スキャナなどを用いて受取り面に転写されたマーキング材料の実質的な量を検出する。方法は、５１４で、受取り面に転写されたマーキング材料の実質的な量を所定の標準と比較する。このようにして、項目５１６で、転写されたマーキング材料の空間的変動および／または実質的な量が、所定の空間的変動の標準とは異なっていたり、または一致しなかったりする場合、方法は、第１のマーキング材料転写手段を印刷欠陥の潜在源として特定できる。
【００４０】
ここで、転写電界均一性マップを利用してニップ負荷機構を制御する例示的プロセスについて説明する。プロセスは、図７のフローチャートで示すように、下記のステップを含んでいる。
【００４１】
印刷エンジンを診断モードにする６０５。
【００４２】
次に、転写ニップのうちの１つの転写電界の空間分布を検知する６１０。センサは全幅（走査バー）アレイ、またはプロセスを横断して配置した数個の点センサ、例えば、数個のＥＴＡＣセンサなどで構成することが好ましい可能性がある。さらに、第１の転写ニップ（ＯＰＣからＩＴＢ＝中間転写ベルトへ）と第２の転写（ＩＴＢから紙へ）ニップとの間のＩＴＢ上のトナー密度、または定着器を出る紙上のトナー密度を測定するためにセンサを配置することが好ましい。センサが後者の位置、すなわち、定着器を出る紙の位置にある場合、第１の転写ニップだけでなく、第２の転写ニップ（ＩＴＢから紙へ）もまた調節できる。ＣＰＵを用いて、測定された転写電界均一性を所定の標準と比較する６２０。転写電界が十分な均一性を有していない場合、ニップ負荷機構を使用してニップ幅（したがって転写電界）均一性を調節する６１５。転写電界が均一であるとき６２０、エンジンは通常の印刷モードに戻る６３０ことができるか、または上述のように他の転写ニップのうちの１つ以上を測定して調節する可能性がある。
【００４３】
開示する実施形態のいくつかの利点が、下記の項目を含んでいてもよい。
・マクロ均一性の改善。
・印刷物全体にわたる色ずれ、例えば再転写スマイル欠陥、の除去。
・印刷物全体にわたる斑点のばらつきの除去。
・オレンジ色、緑色、および／またはスミレ色などの色を追加することによる色域の拡大。
・明るい青緑色、明るい赤紫色、および灰色などの色を含む写真滑らかさ用途。
・ラベル用のｗｈｉｔｅ  ｕｎｄｅｒｐｒｉｎｔなどの包装用途。
・透明保護膜を使用するときの、より均一な印刷物。
・ＵＭＲおよび点検費用（実行費用）の低減。
・生産性および動作可能時間の改善。
・ＢＴＲまたはＢＴＢの凸構造などの臨界仕様に関する緩い公差に起因する潜在的に低いＵＭＣ。
・より多くのロバスト性能（入力の制御されていない変動に対しても出力が影響を受けて変動することがない）。
【００４４】
本明細書は、均一なニップ幅と均一な転写電界とを保証するための閉ループ制御戦略について説明する。上述のように、転写電界均一性マップ（ＴＦＵＭ）を用いて転写電界均一性を検知する。ＴＦＵＭ技術は、ＤｉＲｕｂｉｏ  ｅｔ．ａｌにより２０１０年１１月１５日に出願された、「Ｔｅｓｔｉｎｇ  Ｔｒａｎｓｆｅｒ  Ｎｉｐｓ  Ｏｆ  Ｐｒｉｎｔｉｎｇ  Ｄｅｖｉｃｅｓ  Ｕｓｉｎｇ  Ｔｒａｎｓｆｅｒ  Ｆｉｅｌｄ  Ｕｎｉｆｏｒｍｉｔｙ  Ｍａｐｓ（転写電界均一性マップを用いる印刷手段の転写ニップの試験）」と題するＤｉＲｕｂｉｏ  ｅｔ．ａｌによる米国特許出願第１２／９４５，９４２号に詳細に記載されている。
【００４５】
下記の手段により、５個の転写ニップのうちのいずれに対する転写電界均一性マップでも生成できる。
【００４６】
（１）転写手段が転写割合効率曲線の傾斜領域（図３の動作点２）で作動するまで、加える転写電界を低下させること。この検出モードにおいて転写電界を変化させることは厳しい要件ではないことに注目されたい。
【００４７】
（２）基材に転写画像密度の空間的均一性を測定して評価すること。ここで、基材はＩＴＢ（第１の転写を評価するための）および／または紙（第１の転写および／または第２の転写を評価するための）である可能性がある。これは、転写された画像密度またはＴＭＡ（単位面積あたりに転写された質量）である。図５のセンサ位置Ｔ１およびＴ２を参照されたい。
【００４８】
（３）画像保持部材上に残っているトナーの密度を評価すること。ここで、画像保持部材は、第１の転写ニップのうちの１つにおけるＯＰＣか、または第２の転写ニップにおけるＩＴＢである。これは、残留画像密度またはＲＭＡ（単位面積あたりの残留質量）である。図５のセンサ位置Ｒ１、Ｒ２、Ｒ３、Ｒ４、Ｒ５を参照されたい。
【００４９】
転写された画像密度を評価するステップ（２）では、高電界領域が、より高いトナー密度を有し、最終的な画像において暗く見え、低電界領域が明るく見えるであろう。残留画像密度を評価するステップ（３）では、高電界領域はより低いトナー密度（よりよい転写効率）を有しており、低電界領域はより高いトナー密度を有しているであろう。図４に示すＴＦＵＭの実施例は、マゼンタニップ（図２の２番目の「第１の転写」ニップ）に対する例である。横送り（プロセス方向の上端から下端）の全ページハーフトーン印刷（領域被覆率約６０％）を、低い転写電界で生成した。プロセスを横断する方向での印刷密度の変動は、転写ニップの中央部の電界が、内側縁端部および外側縁端部と比べて低いことに起因している。ＢＴＲのニップ幅の変動が、プロセスを横断する方向の転写電界の変動を引き起こす。この電界の変動により、下流の第１の転写ニップ（図５のニップ１〜４）に対する再転写除去の増加に起因して、プロセスを横断する方向の色ずれが生じる。より高い電界が、トナーパイル内で、より多くの空気の絶縁破壊を引き起こし、この絶縁破壊は、下流のニップ内のもとの感光体へ再転写する、より多くの間違った符号のトナーを作り出した。バイアス転写ローラの円周と等しい距離で繰り返すプロセス方向の電界変動が、ＢＴＲの電気的特性または機械的特性における不均一性を示している。サンプルのＴＦＵＭ内のいくつかの低電界欠陥が、この空間周波数で繰り返している。
【００５０】
上述のように、４色タンデム式エンジン内の画像密度センサのための可能な配置を図５に示している画像保持部材上の残留画像密度は、位置Ｒ１、Ｒ２、Ｒ３、Ｒ４、および／またはＲ５のうちのいずれで測定する可能性もある。最初の４個の位置が、「第１の転写」ニップ（がＯＰＣからＩＴＢに転写した）後の、感光体上の残留質量を測定する。位置Ｒ５は、「第２の転写」ニップ（がＩＴＢから紙／基材に転写した）後の、ＩＴＢ上の残留画像密度を測定する。位置Ｔ１は、第１の転写ニップ（ニップ１〜４）後の、ＩＴＢ上に転写された画像密度を測定する。また、原則的に、第１の転写ニップ（１〜４）の間に、さらなる転写画像密度センサを使用する可能性がある。定着前または定着後（好ましい）の基材上の画像の画像密度を直接測定するために、転写画像密度センサを位置Ｔ２に配置する可能性がある。図４は、センサ配置Ｔ２で測定したニップ２画像に対するＴＦＵＭ画像を表している。
【００５１】
５個すべての転写ニップに対するＴＦＵＭを測定して評価するには、位置Ｔ２に配置された単一の転写画像密度センサ（またはセンサアレイ）が適切であろう。同様に、第１の転写ニップ（ニップ１〜４）のすべてを評価するには、位置Ｔ１に配置された単一のセンサ（またはセンサアレイ）が適切であろう。ニップ１〜４の色順が、Ｙ、Ｍ、Ｃ、Ｋであると仮定すると、第１のニップ内のＴＦＵＭを評価するために、第１の感光体上にイエロー画像を生成でき、第１の転写ニップを低い転写電界（図２の傾斜領域）で作動できる。ＩＴＢからＯＰＣへのトナーの再転写除去を最小限に抑えるために、下流の第１の転写手段（ニップ２、３、４）を最小電界で作動できる。不均一な再転写除去により、ＴＦＵＭ内に偽の不均一性が誘発される可能性がある。第２の転写ニップ（ニップ５）を通常の転写電界で作動させて、Ｔ２にあるセンサが基材上のＴＦＵＭを評価するであろう。
【００５２】
同様に、下記の手段により、第１の転写ニップのうちのいずれに対するＴＦＵＭでも生成できる。
【００５３】
（１）画像をニップｎで生成すること（全ページハーフトーンが好ましいが、他の種類の画像内容を利用してもよい）。
【００５４】
（２）ニップｎの転写手段を低い転写電界（図３の傾斜領域（２））で作動させること。
【００５５】
（３）再転写除去を低減するために下流の第１の転写ニップを非常に低い（最小の）電界で必要に応じて作動させること。
【００５６】
下流のニップ内のニップ圧もまた同様に低下させる可能性がある場合には、再転写除去をさらに減らすことができる。
【００５７】
（４）基材にＴＦＵＭを正確に転写するためにニップ５を通常の転写電界で作動させること。
【００５８】
（５）転写電界均一性を判断するために位置Ｔ２でＴＦＵＭを検知すること。
【００５９】
ニップ５の転写手段を低い転写電界（図３の傾斜領域２）で作動させて、位置Ｔ２（転写された画像密度）で、またはＲ５（残留画像密度）で、ＴＦＵＭを検知することにより、第２の転写ニップ（ニップ５）に対するＴＦＵＭを生成できる。
【００６０】
転写電界均一性マップ（ＴＦＵＭ）を検知するためのいくつかのセンサオプションがある。図４に示す反復的な点欠陥などの空間的に小さい転写電界変動を見つけるために使用する可能性があるデータを、全幅アレイ（ＦＷＡ）光学的画像処理バーが提供するであろう。再転写スマイル（図４を参照されたい）から予測されるような、プロセスを横断するより大規模な電界変動の検出に、プロセスを横断する方向のさまざまな点に配置された割安な２つ以上の点センサのアレイを用いることができる。再転写スマイル欠陥（プロセスを横断する方向の色変動）は、プロセスを横断する転写電界の変動に起因している（図４より前の議論を参照されたい）。点画像／トナー密度センサは、位置Ｔ１でＴＭＡ（単位面積あたりに転写された質量）を監視するために、カラー静電写真エンジンにおいてすでに日常的に用いられている。これらのセンサは、ゼロックス社が使用しているＥＴＡＣＳ（機能強化されたトナー領域被覆率センサ）と、富士ゼロックスエンジンが使用しているＡＤＣセンサと、を含んでいる。
【００６１】
本明細書の例示的実施形態のＩＴＲ負荷機構を図８に示している。ＩＴＲは、硬い金属シャフト上に取り付けられたエラストマ材料で構成されている。感光体（ＯＰＣ）４１０に接触している中間画像転写ベルト（ＩＴＢ）４０５の裏にぶつかるように、バイアス画像転写ローラ（ＩＴＲ）４００に負荷をかける（Ｋ１およびＫ２）。ばね定数Ｋ１およびＫ２を有する内側および外側のばね４１５および４２０を利用する機構によりＩＴＲ負荷を与える。図面内のＩＴＲエラストマの直径がφＤ１であり、中央のシャフトの直径がφＤ２である。転写ニップ内の、トナーを運ぶ画像保持部材と受像部材（例えば、図８の感光体４１０とＩＴＢ４０５）の間の密接な接触を保証する所定の力／負荷を与えるために、内側および外側のばねを制御可能に圧縮する。代表的な第１の転写ニップ（感光体からＩＴＢへのトナー転写）では、通常、約０．５〜１．５ポンド／平方インチ（ＰＳＩ）である目標ニップ圧を保証するのに、ほんのわずかの力を選択する。第２の転写ニップ（ＩＴＢから基材／媒体への、または感光体から基材／媒体へのトナー転写）では、表面の間の密接な接触を保証するには、より高い圧力（２〜１０ＰＳＩ以上）が必要となる可能性がある。閉ループ制御アルゴリズム（図７）は、画像転写電界の均一性を検知して、ばね（４１５および４２０）の圧縮を調節する／作動させることにより力／負荷（ＦＩＢおよびＦＯＢ）を調節して、電界が空間的に均一であることを保証する。制御モータで駆動されたり、または他の何らかの同様の自動化された機構で駆動されたりするカムを用いて、ばね（４１５および４２０）の圧縮の作動を実現してもよい。作動は、各ばねの圧縮を別々に調節するであろう。図３が示すように、この均一な電界を実現するには、ニップ圧それ自体がプロセス全体にわたって均一でなければならない。エラストマは通常凸構造をしており、ロールの中央部が縁端部よりも大きな直径を有するようになっている（例えば、米国特許出願第１２／８６８，９３６号などを参照すること）。各ばねに加わる力／負荷の自動制御およびＩＴＲエラストマの弾性率に加えて、この凸構造が、目標ニップ圧の許容範囲内で均一なニップ圧を実現できることを保証している。
【００６２】
金属シャフトを中心としてエラストマ材料を配置しても、しなくてもよいことを理解されたい。金属シャフトを中心としてエラストマ材料を配置していない状況では、プロセスを横断する方向に均一なニップ幅を保証するには、各端部に加わる力を多少アンバランスにする必要がある。そうしないと、エラストマ材料からシャフトが長く突き出ている側のエラストマ材料の端部上の方が、エラストマ材料からシャフトが短く突き出ている側のエラストマ材料の端部と比べて、ニップがより広くなってしまう。
【００６３】
図９を参照すると、本明細書の例示的実施形態の画像マーキング装置の他の例示的実施形態を示している。本明細書に記述する他の画像マーキング装置とは対照的に、この装置は、ダイレクトマーキングを提供する構造、すなわち、感光体７００、７０５、７１０、および７１５から媒体基材への媒体基材の転写を含む。図示のように、ベルト７４０が媒体基材７４５を案内し、このベルト７４０は一連の画像転写ステーション、ＰＲドラム７００とＢＴＲ７２０とを含む第１の画像転写ステーションまで媒体基材を前進させる。ＰＲドラム７０５とＢＴＲ７２５とを含む第２の画像転写ステーション。ＰＲドラム７１０とＢＴＲ７３０とを含む第３の画像転写ステーション。ＰＲドラム７１５とＢＴＲ７３５とを含む第４の画像転写ステーション。
【００６４】
動作中、各画像転写ステーションは異なるトナーカラー、例えば、シアン、マゼンタ、イエロー、およびブラックなどに関連している。画像を各ＰＲドラムから媒体基材に転写するために、図１〜図９を参照して説明したように、閉ループ制御システムを利用し、これにより、ＰＲドラムとＢＴＲとを含む各画像転写ニップに電気的にバイアスをかけて画像転写ニップを横切る画像転写電界を生成するとともに、ＢＴＲに１つ以上の力を加えて画像転写ニップに関連する空間的均一性を制御する。
【００６５】
マーキング性能を改善するための転写電界均一性マップの使用に関する追加コメント。
【００６６】
マーキングエンジンの印刷品質欠陥または準最適な転写性能の根本的原因を診断するために、自動化された転写電界均一性マップを使用できる。ＴＦＵＭ分析の実施例は下記の通りである。
【００６７】
（１）ＴＦＵＭ分析をトリガーする：トリガーが、自動化されたＴＦＵＭ分析を開始し、例えば、印刷品質欠陥を検出すると、分析をトリガーする可能性がある。
【００６８】
手動トリガー：顧客／ユーザおよび修理技術者、または製造ラインのシステム試験技術者が、トリガーを起動する可能性がある。
【００６９】
自動トリガー：カウンタ（例えば、印刷カウントなど）、または内部の機械センサ（例えば、温度計、ＲＨ（相対湿度計など）、または検出された印刷品質欠陥（例えば、全幅アレイ画像バーにより検出された）が、このトリガーを起動する可能性がある。
【００７０】
（２）診断モードを入力する：印刷エンジンが診断モードに入る。
【００７１】
（３）転写電界均一性マップ（ＴＦＵＭ）を検知する：各転写ニップに対するＴＦＵＭを自動的に生成する。４色のタンデム式ＩＢＴ（中間ベルト構造）の場合には、これは、図５に示すニップのそれぞれに対して１つずつで、最大５つのＴＦＵＭであろう。
【００７２】
（４）転写性能を分析して診断する：センサがＴＦＵＭデータを収集して、ソフトウェアルーチンがＴＦＵＭデータを分析して、もしあれば、転写ニップのうちのどれが準最適に機能している（例えば、ＰＱ欠陥を生成している）のかを特定する。
【００７３】
（５）対策オプション１、転写性能を改善する：転写ニップが準最適に機能していることを分析が示している場合には、転写性能を改善するための対策を講じることができる。いったん対策が完了すると、対策がうまくいったかどうかを判断するためにステップ３および４を繰り返してもよい。
【００７４】
「閉ループ対策」：閉ループ・フィードバック・システムの中のセンサとしてＴＦＵＭ検出を使用する可能性がある。
【００７５】
（６）対策オプション２、診断を継続する：転写ニップが適切に機能しており、まだ依然として診断する必要がある印刷品質欠陥があることを分析が示している場合には、転写を根本的原因から除外でき、印刷品質欠陥の発生源（構成要素またはサブシステム）を特定するために他の診断ルーチンを起動できる。
【００７６】
本明細書は、転写電界均一性マップを用いてニップ内の転写電界の空間的均一性を測定するための能力を提供する。
【００７７】
また、本明細書は、受像部材（例えば、ＩＴＢなど）を画像保持部材（例えば、ＯＰＣなど）と接触させる転写手段に加える負荷を変化させることにより、ニップ幅の均一性を改善するための方法およびシステムを提供する。
【００７８】
６色のタンデム式エンジンにより生成された印刷物内の画像の中央部と、内側縁端部および外側縁端部との間の色ずれが、現像中に観察された。この欠陥は、増強された再転写除去に関連しており、この増大した再転写除去は、２つ以上の下流の（再転写）第１の転写ニップを通って移動する２つ以上の層の画像にとって特に有害である。第１の転写ニップが、画像の内側領域および外側領域で、より広かったことを証明するのにニップ幅の測定値を使用した。より広いニップが、より高い電界と、増大した再転写除去とにつながるはずであるということを転写電界モデルが示した。転写電界が内側縁端部および外側縁端部上で実際に高かったことを確認して、それにより、我々が根本的原因の機構を理解したことを確認するために、測定されたＴＦＵＭを使用した。さらに、ニップ幅の測定値と、ＴＦＵＭとの間のほぼ完全な相関を証明する。したがって、我々は、ＴＦＵＭがニップ幅の均一性の正確な尺度として使用できることと、再転写スマイルのマクロ均一性欠陥を除去するには均一なニップが必要であることと、を証明した。
【００７９】
転写ニップのすべてが十分に均一なニップを有することを保証するのに、自動化された閉ループＴＦＵＭルーチンを製造の際に使用できる。閉ループルーチンがうまくいかなかった場合には、部品を交換する可能性がある。
【００８０】
自動化された閉ループＴＦＵＭルーチンは、もしあれば、転写ニップのうちのどれが、さらなる調整を必要としたか、または転写ニップのうちのどれがＢＴＲを交換する必要があるかを特定できる。
【００８１】
自動化された閉ループＴＦＵＭルーチンは、ニップ幅の均一性が不十分な転写ニップを特定できるとともに、自動的に調節できる。あるいは、転写電界均一性が、まだ依然として仕様から外れている場合、機械は、どのニップに注意が必要かを正確に特定するであろう遠隔点検を通じて修理依頼の電話を開始できる。また、エンジンは、対策を講じるように顧客に警告するために、エラーメッセージまたは警告メッセージを印刷エンジンのフロントパネルに送信できる。
【００８２】
本明細書では、タンデム式ＩＢＴマーキング構造のからみの中で、再転写スマイル欠陥の軽減に焦点を合わせたニップ幅の閉ループ制御システムについて説明している。他の実施形態は下記の事項を含んでいる。
【００８３】
特定の印刷品質欠陥の原因であるサブシステムを特定するのに、より大きな自動化された、または半自動化された診断ルーチンの中で、この開示された制御システムを使用できる。
【００８４】
形状順応性が高いバイアスされた転写ニップ（バイアス転写ローラ＝ＢＴＲ、バイアス転写ベルト＝ＢＴＢなど）と、コロトロンおよびジコロトロン転写ニップと、転写支援ブレードなどを使用するコロトロン／ジコロトロン転写ニップと、を含む任意の種類の転写ニップ技術といっしょに、この開示された制御システムを使用できる。
【００８５】
開示された技術は、再転写スマイル、バイアス転写部材（ＢＴＲまたはＢＴＢ）による材料特性のばらつき、コロトロンおよびジコロトロンのコロノード上のホットスポット、遮へい体にアーク放電するコロノード、転写で誘発された斑点、アーク放電に起因する転写で誘発されたトナーの乱れ（例えば、丸ハンコ欠陥および花火など）などを含む不均一な転写に関連する多くの印刷品質欠陥を特定して軽減するのを促進できる。
【００８６】
用語集
ＩＴＲ＝画像転写ローラ。ＢＴＲ＝バイアス転写ローラ（電気的にバイアスをかけたＩＴＲ）。
【００８７】
形状順応性が高く、伝導性を調整したエラストマで囲まれた金属シャフト。
【００８８】
ＢＴＢ＝バイアス転写ベルト。
【００８９】
このＢＴＢは、多くの場合形状順応性が高く、２つ以上のローラ上で引っ張られたベルトで構成されている。１つ以上のローラがＢＴＲであってもよい。
【００９０】
ＩＴＢ＝中間転写ベルト。
【００９１】
ＩＢＴ＝中間ベルト転写。マーキング構造。
【００９２】
ＯＰＣ＝有機感光体。感光体の一種。本明細書では、ＯＰＣは用語「感光体」と入れ替えて使用できることに注目すること。
【００９３】
ＴＦＵＭ＝転写電界均一性マップ。
【００９４】
第１の転写＝転写ニップ内のＩＴＢ上に画像を形成するプロセス。
【００９５】
第２の転写＝未定着の画像をＩＴＢから紙に転写するプロセス。
【００９６】
ＵＭＲ＝予定外の整備率。
【００９７】
ＵＭＣ＝単位製造原価。
【００９８】
基材＝カットシート、媒体ウェブ、および中間画像転写ベルトなどの媒体基材を含むが、これらに限らない。
【図１】
2013222199.tif 000003
【図２】
2013222199.tif 000004
【図３】
2013222199.tif 000005
【図５】
2013222199.tif 000006
【図６】
2013222199.tif 000007
【図７】
2013222199.tif 000008
【図８】
2013222199.tif 000009
【図９】
2013222199.tif 000010
【図４】
2013222199.tif 000011